(57)【要約】【課題】本発明は取っ手の垂直方向の荷重に耐える強度を確保しつつ、取っ手を筐体に容易に取り付けることができる空気調和機を提供することを目的とする。【解決手段】側板に設けた取っ手取付部と、取っ手取付部に係合する取っ手と、を備え、取っ手取付部は、上開口部と、中央開口部と、上開口部の下方に設けられた下開口部と、を有し、取っ手は、平面部と、平面部の一端面に設けられた指掛け部と、平面部の他端面に設けられ、上開口部に係合する上係合片と、中央開口部に係合する突起と、上係合片の下方に設けられ、下開口部に係合する下係合片と、を有し、突起の下面は中央開口部の下端に接触し、上係合片の上端から下係合片の下端までの距離は、上開口部の上端から下開口部の下端までの距離よりも長く、上係合片の上端は上開口部の上端よりも上方に位置し、下係合片の下端は下開口部の下端よりも下方に位置する空気調和機の室外機。【選択図】  図４
2013217566.tif 000002
【特許請求の範囲】
【請求項１】
側板に設けた取っ手取付部と、前記取っ手取付部に係合する取っ手と、を備え、
前記取っ手取付部は、
上開口部と、
中央開口部と、
前記上開口部の下方に設けられた下開口部と、を有し、
前記取っ手は、
平面部と、
前記平面部の一端面に設けられた指掛け部と、
前記平面部の他端面に設けられ、前記上開口部に係合する上係合片と、
前記中央開口部に係合する突起と、
前記上係合片の下方に設けられ、前記下開口部に係合する下係合片と、を有し、
前記突起の下面は前記中央開口部の下端に接触し、
前記上係合片の上端から前記下係合片の下端までの距離は、前記上開口部の上端から前記下開口部の下端までの距離よりも長く、
前記上係合片の上端は前記上開口部の上端よりも上方に位置し、
前記下係合片の下端は前記下開口部の下端よりも下方に位置する空気調和機の室外機。
【請求項２】
前記上係合片の上端から前記下係合片の付け根までの距離は、前記上開口部の上端から前記下開口部の下端までの距離よりも短いことを特徴とする請求項１に記載の空気調和機の室外機。
【請求項３】
前記上係合片は前記上開口部の上端に接触することを特徴とする請求項１又は２に記載の空気調和機の室外機。
【請求項４】
前記上開口部の上端は前記室外機本体の内側方向に長さがあるフランジ構造であり、
前記上係合片は前記室外機本体の内側方向に長さがあり、且つ、前記下係合片と反対方向に長さがあるＬ字形状であることを特徴とする請求項３に記載の空気調和機の室外機。
【請求項５】
前記上開口部と前記下開口部とは１つの開口部であることを特徴とする請求項１乃至４のいずれかに記載の空気調和機の室外機。
【請求項６】
前記上開口部と前記中央開口部とは１つの開口部であることを特徴とする請求項１乃至４のいずれかに記載の空気調和機の室外機。
【請求項７】
前記取っ手取付部は、前記下開口部の左右方向に左開口部、右開口部、又は前記左開口部及び前記右開口部の両方を有し、
前記取っ手は、前記下係合片の左右方向に左係合片、右係合片、又は前記左係合片及び前記右係合片の両方を有することを特徴とする請求項１乃至６のいずれかに記載の空気調和機の室外機。
【請求項８】
前記下開口部の上端は前記室外機本体の内側方向に長さがあるフランジ構造であり、
前記下係合片は前記下開口部の上端に接触することを特徴とする請求項１乃至７のいずれかに記載の空気調和機の室外機。
【請求項９】
前記突起は前記上係合片に向かって徐々に狭くなる三角形状であることを特徴とする請求項１乃至８のいずれかに記載の空気調和機の室外機。
【請求項１０】
前記中央開口部の上端は前記室外機本体の内側方向に長さがあるフランジ構造であり、
前記突起の上面は前記中央開口部の上端に接触することを特徴とする請求項１乃至８のいずれかに記載の空気調和機の室外機。
【請求項１１】
前記平面部の上端から下端までの距離は、前記上開口部の上端から前記下開口部の下端までの距離よりも長いことを特徴とする請求項１乃至１０のいずれかに記載の空気調和機の室外機。
【請求項１２】
前記中央開口部は前記上開口部と前記下開口部の間に位置し、前記突起は前記上係合片と前記下係合片の間に位置することを特徴とする請求項１乃至１１のいずれかに記載の空気調和機の室外機。
【発明の詳細な説明】
【技術分野】
【０００１】
本発明は、空気調和機の室外機に係り、特に室外機の取っ手に関する。
【背景技術】
【０００２】
本技術分野の背景技術として、筺体の側板に開口を形成し、この開口に樹脂製の取っ手部材を取り付ける空気調和機の室外機が知られている。
【０００３】
この種のものでは、溶接又はねじを用いて樹脂製の取っ手部材を筐体の側板に固定する方法が考えられる。しかし、溶接又はねじを用いて筺体の側板に固定する方法では、溶接するための工具やねじ等部品が増え、又、組立工数が増えて生産効率が低下する。
【０００４】
そこで、特許文献１は、取っ手の当接面に突起を設け、室外機の本体の左側板および右側板の突起と嵌合する位置に穴を設け、取っ手をスライドして室外機の左側板および右側板に取り付けた時に、突起が穴と嵌合する空気調和機の室外機を開示している。特許文献１によれば、取っ手を大きく変形させることなく、またねじ等を用いることなく取っ手を筐体に取り付けることが可能である。
【先行技術文献】
【特許文献】
【０００５】
【特許文献１】特開２００６−２８４０４３号公報
【発明の概要】
【発明が解決しようとする課題】
【０００６】
しかしながら、特許文献１に記載の空気調和機の室外機では、取っ手を取り付ける際に、取っ手を左右にスライドさせ、左側板に設けた舌片および舌片が、取っ手に設けた係合片にそれぞれ係合する構造である。そのため、室外機を持ち上げたときに加わる取っ手への荷重を舌片および舌片の面積のみで支える必要がある。そのため、室外機の荷重を支える面積が少なく、垂直方向の荷重に耐える強度を確保するために、取っ手の幅を本来必要な長さ以上にする必要がある。
【０００７】
本発明は、取っ手の垂直方向の荷重に耐える強度を確保しつつ、取っ手を筐体に容易に取り付けることができる空気調和機を提供することを目的とする。
【課題を解決するための手段】
【０００８】
上記課題を解決するために、本発明の空気調和機の室外機は側板に設けた取っ手取付部と、取っ手取付部に係合する取っ手と、を備え、取っ手取付部は、上開口部と、中央開口部と、上開口部の下方に設けられた下開口部と、を有し、取っ手は、平面部と、平面部の一端面に設けられた指掛け部と、平面部の他端面に設けられ、上開口部に係合する上係合片と、中央開口部に係合する突起と、上係合片の下方に設けられ、下開口部に係合する下係合片と、を有し、突起の下面は中央開口部の下端に接触し、上係合片の上端から下係合片の下端までの距離は、上開口部の上端から下開口部の下端までの距離よりも長く、上係合片の上端は上開口部の上端よりも上方に位置し、下係合片の下端は下開口部の下端よりも下方に位置する。
【発明の効果】
【０００９】
取っ手の垂直方向の荷重に耐える強度を確保しつつ、取っ手を筐体に容易に取り付けることができる。
【図面の簡単な説明】
【００１０】
【図１】室外機の斜視図。
【図２】室外機の要部詳細図。
【図３】取っ手の斜視図。
【図４】図３のａ−ａ断面図。
【図５】取っ手の取付図。
【図６】取っ手の取付図。
【図７】取っ手の取付図。
【図８】取っ手の取付図。
【図９】取っ手の断面図。
【図１０】取っ手の断面図。
【図１１】取っ手の断面図。
【図１２】取っ手の断面図。
【発明を実施するための形態】
【００１１】
以下、実施例を説明する。
【００１２】
図１は室外機の斜視図である。左側板２及び右側板３は金属板で製作され、全面に吸気のための吸気口２ａが配設されている。本体１の運搬用の取っ手９が左側板２及び右側板３の中央上部に配設された取っ手取付部８に配設されている。また、前面カバー４には排気口４ａが配設されている。
【００１３】
図２は室外機の要部詳細図である。左側板２の中央上部の取っ手取付部８には下開口部８ｃと、下開口部８ｃの上部に位置する上開口部８ｄと、下開口部８ｃと上開口部８ｄとの間に中央開口部８ｅが設けられている。さらに、下開口部８ｃ、上開口部８ｄ及び中央開口部８ｅの左側に左開口部８ｆ、及び、右側に右開口部８ｆが設けられている。上開口部８ｄの上端を本体１の内側へ向けたフランジ構造である。
【００１４】
図３は取っ手の斜視図であり、図４は図３のａ−ａ断面図である。取っ手９は樹脂成型品で製作され、略長方形法の平面部９ａと、平面部９ａの表面側で中央部手前方向に凸形状の運搬用の指掛け部９ｂから構成される。さらに、平面部９ａの指掛け部９ｂとは反対側の面には、下係合片９ｃ、上係合片９ｄ、突起９ｅ、左係合片９ｆ及び右係合片９ｆが設けられている。
【００１５】
下係合片９ｃは、平面部９ａから指掛け部９ｂとは反対側の方向に延び、端部で下方向に延びたＬ字型の形状である。取っ手９を左側板２に装着したときに、下係合片９ｃは下開口部８ｃに係合する。
【００１６】
上係合片９ｄは、下係合片９ｃの上部に位置し、平面部９ａから指掛け部９ｂとは反対側の方向に延び、端部で上方向に延びたＬ字型の形状である。取っ手９を左側板２に装着したときに、上係合片９ｄは上開口部８ｄに係合する。
【００１７】
なお、上開口部８ｄの上端を本体１の内側へ向けたフランジ構造としており、上係合片９ｄと上開口部８ｄの上端との接触する面積を増やすために、上係合片９ｄの本体１の内側方向の長さ、及び、上開口部８ｄの上端のフランジ部分を長くしてもよい。
【００１８】
また、上係合片９ｄは上開口部８ｄの上端と接触する構造であるが、上係合片９ｄによって室外機の荷重を支えることができれば、室外機を持ち上げた時にだけ上係合片９ｄと上開口部８ｄの上端とが接触し、室外機を持ち上げていない時は上係合片９ｄと上開口部８ｄの上端とが接触しない構造としてもよい。
【００１９】
突起９ｅは、下係合片９ｃと上係合片９ｄの間に位置し、平面部９ａから指掛け部９ｂとは反対側の方向に延び、且つ、上係合片９ｄ方向に向かって徐々に狭くなる三角形状である。なお、突起９ｅは、取っ手９が下方に動くのを防止する形状であれば、三角形状以外であってもよい。
【００２０】
左係合片９ｆは、下係合片９ｃと上係合片９ｄと突起９ｅの左側に位置し、平面部９ａから指掛け部９ｂとは反対側の方向に突出した形状である。取っ手９を左側板２に装着したときに、左係合片９ｆは左開口部８ｆに係合する。
【００２１】
右係合片９ｆは、下係合片９ｃと上係合片９ｄと突起９ｅの右側に位置し、平面部９ａから指掛け部９ｂとは反対側の方向に突出した形状である。取っ手９を左側板２に装着したときに、右係合片９ｆは右開口部８ｆに係合する。
【００２２】
左係合片９ｆ及び右係合片９ｆは、平面部９ａのうち他の係合片などが取り付けられていない位置であれば、上述した位置に限らず他の位置であってもよい。
【００２３】
なお、下係合片９ｃの長さＬ１は、下開口部８ｃの下端と下係合片９ｃの下端の距離Ｌ２より長い寸法とし、装着した際に空間１０を設けられる寸法とする。また、下係合片９ｃの幅は、左側板２の厚みよりも長ければよく、空間１０に左側板２が収まるよう構成される。
【００２４】
また、下開口部８ｃ、上開口部８ｄの横寸法は挿入時の作業性を容易にするために、下係合片９ｃ、上係合片９ｄの横寸法よりわずかに大きくしている。また、下係合片９ｃ、上係合片９ｄが板金を挟んで揺れないよう構成してもよい。
【００２５】
また、指掛け部９ｂは、手指の第２関節まで指掛けできる寸法Ｌ３を確保している。
【００２６】
また、左係合片９ｆ及び右係合片９ｆはどちらか１つだけ設ける構造、又は、突起９ｅだけで取っ手９を固定させる構造としてもよい。
【００２７】
なお、図４に示すように上開口部８ｄの上端から下開口部８ｃの下端までの長さをａとし、上係合片９ｄの上端から下係合片９ｃの下端までの長さをｂとし、上係合片９ｄの付け根から下係合片９ｃの付け根までの長さをｃとすると、ｂ＜ａ、ａ＜ｃとなるように構成されている。
【００２８】
また、突起９ｅの下面は中央開口部８ｅの下端に接触するので、取っ手９の下方向への動きを抑制することができる。
【００２９】
また、上係合片９ｄの上端は上開口部８ｄの上端よりも上方に位置し、下係合片９ｃの下端は下開口部８ｃの下端よりも下方に位置するので、本体１の奥行き方向の動きを抑制することができる。
【００３０】
また、上係合片９ｄの上端から下係合片９ｃの付け根までの長さをｄとすると、ｄ＜ｃとなるように構成することで、取っ手９を取っ手取付部８へ取り付ける時における室外機の本体１及び取っ手９の変形を減らすことができる。
【００３１】
また、上係合片９ｄの付け根から下係合片９ｃの下端までの長さをｅとすると、実施例１ではｅ＞ｃとなるように構成して、取っ手９が取っ手取付部８から外れにくくなるように構成している。
【００３２】
また、上係合片９ｄの上面は上開口部８ｄの上端に接触するので、室外機の本体１を持ち上げた時の荷重を上係合片９ｄの上面で支えることができる。
【００３３】
つぎに、図５−図８を用いて取っ手９の左側板２への装着方法について説明する。なお矢印は取っ手９の動く方向を示している。
【００３４】
まず、図５に示すように下開口部８ｃに下係合片９ｃを差し込む。次に、図６に示すように下係合片９ｃを支点に取っ手９を回転させながら平面部９ａと下係合片９ｃの間に下開口部８ｃ下部の板金を差し入れる。
【００３５】
次に、図７に示すように取っ手９を左側板２に押し当て、上開口部８ｄに上係合片９ｄを挿入し、左開口部８ｆに左係合片９ｆを挿入し、右開口部８ｆに右係合片９ｆを挿入する。また、突起９ｅを下開口部８ｃと中央開口部８ｅの間に位置する取っ手取付部８の平面部８ａに押し当て、平面部８ａをわずかに撓ませる。
【００３６】
次に、図８に示すように取っ手９を上部に引き上げることにより、突起９ｅを中央開口部８ｅに嵌合させ、平面部８ａは弾性変形により撓む前の形状に戻り、突起９ｅが中央開口部８ｅに引っかかることにより、空間１０を設けたまま、取っ手９が下にずれて外れるのを防止することができる。突起９ｅは上係合片９ｄに向かって徐々に狭くなる三角形状であるため、突起９ｅを滑らせて中央開口部８ｅに挿入することができ、突起９ｅを中央開口部８ｅに挿入しやすい。
【００３７】
このように、上係合片９ｄの上方向への移動を上開口部８ｄの上端部分によって抑え、突起９ｅの下方向への移動を中央開口部８ｅの下端部分によって抑えることで、取っ手９の上下方向の移動を抑制することができる。また、平面部９ａと上係合片９ｄ、及び、平面部９ａと下係合片９ｃによって、左側板２を挟むことで、取っ手９の奥行き方向の移動を抑制することができる。
【００３８】
また、突起９ｅ、上係合片９ｄ、下係合片９ｃによって左右方向の移動を抑制することができるが、さらに左係合片９ｆ、右係合片９ｆを設けることで、左右方向の移動をより確実に抑制することができる。
【００３９】
なお、左側板２の中央上部の取っ手取付部８について説明したが、右側板３の中央上部の取っ手取付部８及びその取っ手９も同様の構造である。
【００４０】
また、上開口部８ｄ及び中央開口部８ｅを別の開口部として説明したが、図９に示すように上開口部８ｄと中央開口部８ｅを一体とした開口部としてもよい。また、上係合片９ｄと突起９ｅを一体として構成してもよい。
【００４１】
また、下開口部８ｃの上端を本体１の内側へ向けたフランジ構造とし、下係合片９ｃと下開口部８ｃの上端部分とを接触させて、荷重を支える構造としてもよい。
【００４２】
以上のように取り付けることで、容易に取っ手９を左側板２に装着することができる。
【００４３】
また、取っ手９を上に引き上げて固定することで、上係合片９ｄの面積すべてで荷重を受ける構造にすることができる。従って、取っ手９を本来必要な長さの横幅のみの構造とすることができ、外観を向上させることができる。
【００４４】
また、平面部８ａを僅かに撓ませるだけで、取っ手９を左側板２に装着することができるため、取っ手９及び左側板２の変形を抑えることができる。
【００４５】
また、図１０に示すように、下係合片９ｃの上面と下開口部８ｃの上端部分とを接触させ、下係合片９ｃの上面で室外機の本体１の荷重を支える構造にしてもよい。
【００４６】
また、上係合片９ｄ、下係合片９ｃの上面の両方で室外機の本体１の荷重を支える構造にしてもよい。
【００４７】
また、図１１に示すように、突起９ｅの上面と中央開口部８ｅの上端部分とを接触させ、上係合片９ｄ及び突起９ｅの上面で室外機の本体１の荷重を支える構造にしてもよい。
【００４８】
また、突起９ｅの上面で室外機の本体１の荷重を支える構造にしてもよい。
【００４９】
また、上係合片９ｄ、下係合片９ｃ、突起の上面の３つで室外機の本体１の荷重を支える構造にしてもよい。
【００５０】
また、突起９ｅが上係合片９ｄと下係合片９ｃの間の位置にあって、中央開口部８ｅが上開口部８ｄと下開口部８ｃとの間の位置にある場合について説明したが、図１２に示すように突起９ｅを下係合片９ｃの下方に設ける等、他の位置であってもよい。
【００５１】
また、図１２に示すように、上開口部８ｄと下開口部８ｃを一体の開口部として構成してもよい。また、上係合片９ｄと下係合片９ｃを一体として構成してもよい。
【００５２】
以上のように、本発明に係る空気調和機の室外機は、側板に設けた取っ手取付部と、取っ手取付部に係合する取っ手と、を備え、取っ手取付部は、上開口部と、中央開口部と、上開口部の下方に設けられた下開口部と、を有し、取っ手は、平面部と、平面部の一端面に設けられた指掛け部と、平面部の他端面に設けられ、上開口部に係合する上係合片と、中央開口部に係合する突起と、上係合片の下方に設けられ、下開口部に係合する下係合片と、を有し、突起の下面は中央開口部の下端に接触し、上係合片の上端から下係合片の下端までの距離は、上開口部の上端から下開口部の下端までの距離よりも長く、上係合片の上端は上開口部の上端よりも上方に位置し、下係合片の下端は下開口部の下端よりも下方に位置する。本発明の空気調和機の室外機によれば、取っ手の下方向及び奥行き方向の移動を抑制することができる。
【００５３】
また、本発明に係る空気調和機の室外機は、上係合片の上端から下係合片の付け根までの距離は、上開口部の上端から下開口部の下端までの距離よりも短いので、取っ手を取っ手取付部へ取り付ける時に、取っ手又は室外機の変形を減らすことができる。
【００５４】
また、本発明に係る空気調和機の室外機は、上係合片は上開口部の上端に接触するので、室外機を持ち上げた時に上係合片の上面で室外機を支えることができる。
【００５５】
また、本発明に係る空気調和機の室外機は、上開口部の上端は室外機本体の内側方向に長さがあるフランジ構造であり、上係合片は室外機本体の内側方向に長さがあり、且つ、突起と反対方向に長さがあるＬ字形状であるので、室外機を支える上係合片の面積を増やし、強度を高めることができる。
【００５６】
また、本発明に係る空気調和機の室外機は、上開口部と中央開口部とは１つの開口部とすることで、室外機の開口部を２つに抑え、室外機の強度を高めるよう構成してもよい。
【００５７】
また、本発明に係る空気調和機の室外機は、取っ手取付部は、下開口部の左右方向に左開口部、右開口部、又は左開口部及び右開口部の両方を有し、取っ手は、下係合片の左右方向に左係合片、右係合片、又は左係合片及び右係合片の両方を有するので、取っ手の左右方向の移動を抑制することができる。
【００５８】
また、本発明に係る空気調和機の室外機は、下開口部の上端は室外機本体の内側方向に長さがあるフランジ構造であり、下係合片は下開口部の上端に接触するので、下係合片の上面で室外機を支えることができる。
【００５９】
また、本発明に係る空気調和機の室外機は、突起は上係合片に向かって徐々に狭くなる三角形状であるので、突起を滑らせて中央開口部に挿入することができ、取っ手を取っ手取付部に容易に取り付けることができる。
【００６０】
また、本発明に係る空気調和機の室外機は、中央開口部の上端は室外機本体の内側方向に長さがあるフランジ構造であり、突起は上端に上面を有し、突起の上面は中央開口部の上端に接触するので、突起の上面で室外機を支えることができる。
【００６１】
また、中央開口部は上開口部と下開口部の間に位置し、突起は上係合片と下係合片の間に位置する。
【符号の説明】
【００６２】
１  本体
２  左側板
３  右側板
４  前面カバー
５  天面カバー
６  圧縮機
７  熱交換器
８  取っ手取付部
８ａ、９ａ  平面部
８ｂ  取付時撓み部
８ｃ  下開口部
８ｄ  上開口部
８ｅ  中央開口部
８ｆ  左開口部、右開口部
９  取っ手
９ｂ  指掛け部
９ｃ  下係合片
９ｄ  上係合片
９ｅ  突起
９ｆ  左係合片、右係合片
１０  空間
【図１】
2013217566.tif 000003
【図２】
2013217566.tif 000004
【図３】
2013217566.tif 000005
【図４】
2013217566.tif 000006
【図５】
2013217566.tif 000007
【図６】
2013217566.tif 000008
【図７】
2013217566.tif 000009
【図８】
2013217566.tif 000010
【図９】
2013217566.tif 000011
【図１０】
2013217566.tif 000012
【図１１】
2013217566.tif 000013
【図１２】
2013217566.tif 000014